(57)【要約】      （修正有）【課題】下半身の任意の部位を痩せさせるシステムを提供する。【解決手段】固定用手段を備えた施術用台と、ロープにより張力をかけて固定する固定手段と、電気刺激を付加する手段とを備えたダイエットシステム。詳しくは、胴部、脚部及び足部を固定する固定手段（固定用バンド３、固定用部材４）を備えた施術台２と、脚部又は臀部の筋肉を伸長させてロープ９により張力をかけて固定する固定手段と、電気刺激を与える手段（ＥＭＳ７、電極パッド６）とを備えたダイエットシステム。【選択図】図１
2014104003.tif 000002
【特許請求の範囲】
【請求項１】
固定用手段を備えた施術台と
ロープにより張力をかけて固定する固定手段と
電気刺激を付加する手段
とを備えたダイエット用器具
【請求項２】
胴部、脚部及び足部を固定する固定手段を備えた施術台と、
脚部又は臀部の筋肉を伸長させてロープにより張力をかけて固定する固定手段と、
電気刺激を与える手段とを備えたダイエットシステム。
【請求項３】
前記張力の強度を調節する手段を備えた請求項１又は請求項２に記載のダイエットシステム。
【請求項４】
前記電気刺激を与える手段が電気的筋肉刺激装置である請求項１乃至請求項３のいずれか１項に記載のダイエットシステム。
【請求項５】
伸長した筋肉に接触させたパッドに対して、周波数５０００Hzで、５０秒間〜７０秒間中周波電気刺激を発信することを特徴とする中周波装置の作動方法
【発明の詳細な説明】
【技術分野】
【０００１】
本発明は、電気刺激により下半身を痩せさせるシステム及び方法に関する。
【背景技術】
【０００２】
従来、電気刺激による痩身具はいくつか開発されている（例えば、特許文献１）が、主に腹筋や上半身を対象とするもので、下半身を専門に痩せさせるためのものは無かった。また、電気刺激する時間も波長をシフトさせるなど、長時間処理する必要があった。
【０００３】
短期間で下半身の望む部分のみを痩せさせたいという希望を持つ人は多いが、これまで下半身ダイエットには、有効な方法がなかった。そこで、下半身の必要な部分のみを効率よく痩せさせるダイエット装置及び方法が求められていた。また、短時間で効率のよい痩身効果のあるシステムが求められていた。
【先行技術文献】
【特許文献】
【０００４】
【特許文献１】特許第３６１６７５０号公報
【発明の概要】
【発明が解決しようとする課題】
【０００５】
下半身の任意の部位を痩せさせるシステム及び方法を提供する。
【課題を解決するための手段】
【０００６】
本明細書によれば以下の発明が提供される。
（１）固定用手段を備えた施術台と、ロープにより張力をかけて固定する固定手段と、電気刺激を付加する手段とを備えたダイエットシステム。
（２）胴部、脚部及び足部を固定する固定手段を備えた施術台と、脚部又は臀部の筋肉を伸長させてロープにより張力をかけて固定する固定手段と、電気刺激を与える手段とを備えたダイエットシステム。
【０００７】
胴部、脚部及び足部を固定する手段としては、胴部、脚部については、通常のベルトが用いられる。自動車のシートベルトのような形式で固定してもよい。足部の固定については、足先を固定するために、スリッパの先の様な固定具を使用する。これにより、足先が動き、電気刺激位置がずれたり、外れたりすることを防止できる。
【０００８】
（３）前記張力の強度を調節する手段を備えた（１）または（２）のダイエットシステム。
（４）前記電気刺激を与える手段が電気的筋肉刺激装置である（１）乃至（３）のいずれか１のダイエットシステム。
（５）伸長した筋肉に接触・固定させるパッド対して、周波数５０００Hz、５０秒間から８０秒間中周波で電気刺激を発信することを特徴とする中周波装置の作動方法。
【発明の効果】
【０００９】
本発明によれば、短時間の処理により、下半身のダイエット効果が得られる。
【図面の簡単な説明】
【００１０】
【図１】図１はダイエットシステムを表した図である。（実施例１）
【発明を実施するための形態】
【００１１】
本発明は、下半身の任意の部位の筋肉を伸ばした状態で電気刺激を与える（付加する）ことにより、筋肉を収縮させ、効率よく痩せさせるシステムである。このシステムによると、従来の電気刺激法に比べ極めて短時間で効率よく痩身効果が得られる。
そのために、本発明は、痩せさせたい部位の筋肉を伸長した状態で固定する手段、胴部、脚部、足部を固定する手段、電気刺激用電極と電気刺激を与える装置からなる。
【００１２】
原理的には、下半身で痩せさせたい部位の筋肉を伸長させた状態で固定し、そこに電気刺激を与えて筋肉を収縮させることで、その部分に血液が集まり、代謝が亢進して脂肪が減少して筋肉に変化することでその部分のみを痩せさせることができると考えられる。それ以外の部分は余計な動きをしないようにベルト等で固定することで電気刺激する部分に効率よく血流を集中させることができる。
【００１３】
例えば、太ももを痩せさせる場合は、太ももの筋肉を伸ばした状態で固定して電気刺激を与えればよい。この場合は、施術台に仰向けに寝た被験者の片脚を上に伸ばして太ももの筋肉が緊張するまで頭部方向に引っ張り、太ももの筋肉を伸ばした状態で固定手段で固定する。そして太ももに電極パッドを接触させて電気刺激を与え、筋肉を収縮させる。
【００１４】
臀部を痩せさせたい場合も、臀部の筋肉が伸びるように脚を交差させて固定し、臀部に電気刺激を与えればよい。
そのようにして任意の下半身の部分を痩せさせることができる。
【００１５】
電気刺激を与える手段は中周波の電気刺激装置が好適に用いられるが、筋肉を適度に収縮させられる電気刺激を出力できるものであれば特に制限されない。要は伸長した筋肉が収縮できればよい。この電気刺激装置は電気的筋肉刺激装置（EMS：electric muscle stimulator） とも言われ、本体が記憶した周波数、波形の刺激信号を出力し、それを体に接触する電極パッドを通じて本体からの刺激信号を出力し、筋肉を刺激して痩身効果を与えるものである。
【００１６】
電極パッドは有線又は無線で本体からの信号を受け取る。電極パッドは直径４ｃｍ〜１０ｃｍの円形、楕円形、又は１辺４ｃｍ〜１０ｃｍの長方形等が好ましく用いられるがこれらに限られない。
低周波〜中周波の電気刺激装置としては、例えば、プロフィットジム５０００（ロイヤル通販）等が好適に用いられるがこれに限られない。
【００１７】
周波数としては、１０００〜５０００ヘルツ（Hz）が好適に用いられるが、低周波も組み合わせて用いることができる。例えば５０Hz＋１０００Hz,  ５０Hz＋２０００Hz,  ５０Hz＋５０００Hzの３種類の複合波と、２００Hz、４００Hzの２種類の低周波を合わせた５種類の周波を不規則に発生させてもよい。
【００１８】
電気刺激する時間は、１部位あたり３０秒間〜５分間が好ましく、より好ましくは５０秒〜７０秒間、最も好ましくは６０秒間である。
刺激する部位は、筋肉が存在し、伸長できる部位であれば特に制限されない。太もも（前、後、内、外）ふくらはぎ等の脚部、臀部、足等あらゆる部位に適用可能である。また、下半身に限らず、上半身であっても適用可能である。
【００１９】
１回の施術で痩せさせたい部位、例えば、太もも（内もも、前もも、太ももの裏側、外側も含む）、臀部、ふくらはぎ等を順次電気刺激することで同時に複数の部位を痩せさせることも可能である。
それにより任意の部位を効率よく痩せさせることができる。
【実施例１】
【００２０】
図１に示すように、まず、被験者１は施術台２に仰向けに寝て胴部を台の上に固定用バンド３で固定した。電気刺激しない方の脚も同様に固定用バンドで固定した。さらに電気刺激しない方の足をつま先側に固定用の部材４で固定した。次に、痩せさせたい部分の筋肉を引っ張って伸ばした状態で固定した。この際、そのために固定する脚の足首部分等にベルト８を巻き、ロープ９で張力をかけることにより痩せさせたい部分（太もも、ふくらはぎ、臀部等）の筋肉を伸ばした状態で固定した。この際、張力の強さは、重り１１の位置を上下に動かしてロープの角度を変えることで調整した。痩せさせたい部分に電極パッド６を当てEMS７により電気刺激を加える。電極パッド６はバンド５により電気刺激を加える部分に固定した。
【００２１】
電気刺激はプロフィットジム５０００を用いて５０００Hz、１箇所約６０秒間電気刺激を与えた。必要により、様々な部位に電気をかけることにより複数の部位を同時に痩せさせることができる。部位の例としては、ふくらはぎ、大腿部の前側、内側、裏側、臀部、等があげられるが、これらに限られない。下半身で脂肪がついたところであればどこでも本発明の電気刺激を与えて痩せさせることができる。
【実施例２】
【００２２】
太ももの裏側、内もも、臀部、ふくらはぎに対して周波数５０００Hz、処理時間６０秒間づつ処理したところ、50ｋｇの被験者が３カ月で45ｋｇに体重が減少した。パンツのサイズは２サイズ小さいものが穿けるようになった。これは、全体的に体重が減少したのではなく、下半身が効率よく痩せたことを意味すると考えられる。
【実施例３】
【００２３】
本発明の装置を用いて毎週１回、下半身（内もも、太ももの裏側、臀部、ふくらはぎ）に各部位約１分間、５０００ヘルツの電気刺激を与えたところ、表１のように顕著な体重減少が見られた。表１は本発明の装置で処理した場合の体重（ｋｇ）の経時的変化を表している。Ａ，Ｂ，Ｃ，Ｄ，Ｅは個人を表し、週毎の体重変化を記録した。その結果、表１に示すように、Ａさんは最初体重が７５ｋｇだったが、１８週目には、６０．９ｋｇ、Ｂさんは最初６７．２ｋｇから１２週目に５８．３ｋｇ、Ｃさんは最初７２．９ｋｇから１２週目に６４．２ｋｇ、Ｄさんは最初６８．４ｋｇから１１週で５９．１ｋｇ、Ｅさんは５９．５ｋｇから９週で５１．６ｋｇとなっている。
【００２４】
【表１】
2014104003.tif 000003
【００２５】
表２は表１と同じ被験者達の体脂肪率の推移を％で表したものである。A〜Eの各被験者とも３．７％〜７．７％体脂肪率が減少しており、顕著な効果があることがわかる。
【００２６】
【表２】
2014104003.tif 000004
【００２７】
表３は表１、表２と同じ被験者達の両脚の皮下脂肪率の経時的変化を％で示したものである。４．７％〜１０．２％両脚の皮下脂肪が減少しているのがわかる。
【００２８】
【表３】
2014104003.tif 000005
【産業上の利用可能性】
【００２９】
本発明は美容産業、ダイエット産業に利用可能である。
【符号の説明】
【００３０】
１    被験者
２    施術台
３    固定用バンド
４    固定用部材
５    バンド
６    電極パッド
７    EMS
８    ベルト
９    ロープ
１０    支柱
１１    重り
【図１】
2014104003.tif 000006